(57)【要約】【課題】異なる変調方式を含むＭＣＳが選択される確率を低減してシステム全体のスループット特性を改善すること。【解決手段】下り送信ストリームのＣＱＩを復号するＣＱＩ情報復号部１０１と、下り送信ストリームのＣＱＩに応じた変調・符号化方式（ＭＣＳ）を定めたテーブルであって、同一の変調方式を含み伝送レートが昇順となるように規定された変調・符号化方式のグループを定めたテーブル（ＭＣＳテーブル１０２１）を有し、ＣＱＩ情報復号部１０１で復号された下り送信ストリームのＣＱＩに基づいて当該下り送信ストリームのＭＣＳを選択するＭＣＳ選択部１０２とを具備することを特徴とする。【選択図】図１
2011023942.tif 000002
【特許請求の範囲】
【請求項１】
下り送信ストリームのＣＱＩを復号する復号手段と、下り送信ストリームのＣＱＩに応じた変調・符号化方式を定めたテーブルであって、同一の変調方式を含み伝送レートが昇順となるように規定された変調・符号化方式のグループを定めたテーブルを有し、前記復号手段で復号された下り送信ストリームのＣＱＩに基づいて当該下り送信ストリームの変調・符号化方式を選択する選択手段とを具備することを特徴とする無線基地局装置。
【請求項２】
前記テーブルは、送信可能な情報ビット数が異なる複数の変調方式を含む変調・符号化方式のグループを複数有し、前記情報ビット数が大きい変調方式のグループのうち最も伝送レートが小さい変調・符号化方式の伝送レートを、前記情報ビット数が小さい変調方式のグループのうち最も伝送レートが大きい変調・符号化方式よりも大きく規定したことを特徴とする請求項１記載の無線基地局装置。
【請求項３】
前記情報ビット数が大きい変調方式のグループのうち最も伝送レートが小さい変調・符号化方式の伝送レートを、符号化方式を調整することで前記情報ビット数が小さい変調方式のグループのうち最も伝送レートが大きい変調・符号化方式よりも大きく規定したことを特徴とする請求項２記載の無線基地局装置。
【請求項４】
下り送信ストリームのＣＱＩを復号するステップと、下り送信ストリームのＣＱＩに応じた変調・符号化方式を定めたテーブルであって、同一の変調方式を含み伝送レートが昇順となるように規定された変調・符号化方式のグループを定めたテーブルから、前記復号された下り送信ストリームのＣＱＩに基づいて当該下り送信ストリームの変調・符号化方式を選択することを特徴とする変調・符号化方式選択方法。
【発明の詳細な説明】
【技術分野】
【０００１】
本発明は、無線基地局装置及び変調・符号化方式選択方法に関し、特に、マルチインプットマルチアウトプット（ＭＩＭＯ）方式及び適用変調チャネル符号化（ＡＭＣ）方式を使用する無線基地局装置及び変調・符号化方式選択方法に関する。
【背景技術】
【０００２】
近年、無線通信の高速大容量化の観点から、ＭＩＭＯ（Multiple  Input  Multiple  Output）方式の通信技術が注目されている。このＭＩＭＯ方式においては、複数の送信ストリームの信号が空間内をそれぞれ別様に伝搬するようにすることで、伝送速度及び信号品質の向上を図るものである。受信側では、このような複数の送信ストリームを適切に分離して受信信号を得る必要がある。複数の送信ストリームから最も良好な特性を実現する信号分離法として、最尤推定検出（ＭＬＤ：Maximum  Likelihood  Detection）信号分離法が知られている。
【０００３】
このＭＬＤ信号分離法においては、同時に送信された複数の送信ストリーム中の複数のシンボルを一まとめにしたシンボル群を想定し、全ての可能なシンボル群のうち、最も確からしいシンボル群を特定することで、送信された複数のシンボルを推定する。具体的には、実際の受信信号と、チャネル変動の影響を受けたシンボル群との間の距離（シンボルコンステレーション内でのユークリッド距離の二乗で評価される）の最も小さいシンボル群が、最終的にＭＬＤ信号分離法で検出されるシンボル群とされる。
【０００４】
また、このＭＩＭＯ方式において、時間と共に変化するチャネル状態に応じて適切な伝送レートで伝送することで、システム全体のスループットを改善する観点から、適応変調チャネル符号化（ＡＭＣ：Adaptive  Modulation  and  Coding）が行われている。このＡＭＣにおいては、チャネル状態に応じて相応しい伝送レートを達成可能な変調・符号化方式（ＭＣＳ：Modulation  and  Coding  Scheme）が選択される。
【０００５】
ＭＩＭＯ方式においては、送信ストリーム数が複数存在し、それぞれの送信ストリームが別様のチャネル状態（即ち、伝送路）で伝送されることとなる。このような送信ストリーム毎のＭＣＳを選択する際の処理を簡素化する技術として、各種のＭＣＳと、全ての送信ストリームで同一の変調方式を用いたと仮定した場合におけるＣＱＩ（Channel  Quality  Indicator）（受信ＳＩＮＲ）及び誤り率特性とを対応づけて定めたＭＣＳテーブルを用意しておき、それぞれの送信ストリームから測定されるＣＱＩに応じてＭＣＳを選択する手法が提案されている（例えば、非特許文献１参照）。
【先行技術文献】
【非特許文献】
【０００６】
【非特許文献１】N.  Maeda,  T.  Kataoka,  J.  Kawamoto,  K.  Higuchi,  and  M.  Sawahashi,  “Experiments  on  real-time  1Gbps  packet  transmission  using  antenna-independent  AMC  in  MIMO-OFDM  broadband  packet  radio  access,”  in  Proc.  IEEE  VTC2005-Fall,  vol.  3,  pp.  1628-1632,  Sept.  2005.
【発明の概要】
【発明が解決しようとする課題】
【０００７】
上述した非特許文献１記載の手法で利用されるＭＣＳテーブルにおいては、一般にその伝送レートを基準にＭＣＳが規定されている。図４は、従来のＭＣＳテーブルで規定されるＭＣＳの一例を示す図である。図４に示すＭＣＳテーブルにおいては、ＭＣＳインデックス（＃１〜＃１１）に対応付けて、任意の変調方式と符号化方式（符号化率）との組み合わせが伝送レートの昇順に規定されている。
【０００８】
例えば、このＭＣＳテーブルにおいては、ＭＣＳインデックス＃１、＃２及び＃４にて変調方式としてＱＰＳＫが規定されると共に、符号化率としてそれぞれ１／３、１／２及び３／４が規定されている。また、ＭＣＳインデックス＃３、＃５にて変調方式として１６ＱＡＭが規定されると共に、符号化率としてそれぞれ１／３、１／２が規定されている。さらに、ＭＣＳインデックス＃６及び＃８にて変調方式として１６ＱＡＭが規定されると共に、符号化率としてそれぞれ２／３及び４／５が規定されている。さらに、ＭＣＳインデックス＃７及び＃９〜＃１１にて変調方式として６４ＱＡＭが規定されると共に、符号化率としてそれぞれ１／２、３／４、４／５及び８／９が規定されている。すなわち、このＭＣＳテーブルにおいては、変調方式の種別に関わらず、符号化率との関係で得られる伝送レートを基準にＭＣＳが規定されるのであり、異なる変調方式を含むＭＣＳが混在して規定されている。
【０００９】
ＭＩＭＯ方式で伝送される複数の送信ストリームにおいては、それぞれから測定されるＣＱＩが近似する場合が少なくなく存在する。上述したＭＣＳテーブルのように、異なる変調方式を含むＭＣＳが混在して規定される場合、それぞれの送信ストリーム間で異なる変調方式を含むＭＣＳが選択される確率が高くなる。この場合、それぞれの送信ストリームで選択される変調方式が相違することに起因して、受信信号の分離処理の際に送信された複数のシンボルを適切に推定することができず、システム全体におけるスループット特性が劣化する事態が発生し得る。
【００１０】
本発明はかかる実情に鑑みてなされたものであり、異なる変調方式を含むＭＣＳが選択される確率を低減してシステム全体のスループット特性を改善することができる無線基地局装置及び変調・符号化方式選択方法を提供することを目的とする。
【課題を解決するための手段】
【００１１】
本発明の無線基地局装置は、下り送信ストリームのＣＱＩを復号する復号手段と、下り送信ストリームのＣＱＩに応じた変調・符号化方式を定めたテーブルであって、同一の変調方式を含み伝送レートが昇順となるように規定された変調・符号化方式のグループを定めたテーブルを有し、前記復号手段で復号された下り送信ストリームのＣＱＩに基づいて当該下り送信ストリームの変調・符号化方式を選択する選択手段とを具備することを特徴とする。
【発明の効果】
【００１２】
本発明においては、下り送信ストリームのＣＱＩを復号し、下り送信ストリームのＣＱＩに応じた変調・符号化方式を定めたテーブルであって、同一の変調方式を含み伝送レートが昇順となるように規定された変調・符号化方式のグループを定めたテーブルから、復号された下り送信ストリームのＣＱＩに基づいて当該下り送信ストリームの変調・符号化方式を選択するようにしたことから、変調方式が相違するＭＣＳが混在して規定される場合と比べ、変調方式が相違することに起因して、受信信号の分離処理の際に送信された複数のシンボルを適切に推定できない事態の発生を抑制でき、システム全体におけるスループット特性を改善することが可能となる。
【図面の簡単な説明】
【００１３】
【図１】本発明の一実施の形態に係る無線基地局装置の送信部の構成を示すブロック図である。
【図２】上記実施の形態に係る移動局装置の受信部の構成を示すブロック図である。
【図３】上記実施の形態に係る無線基地局装置のＭＣＳ選択部が備えるＭＣＳテーブルの一例を示す図である。
【図４】従来のＭＣＳテーブルで規定されるＭＣＳの一例を示す図である。
【発明を実施するための形態】
【００１４】
以下、本発明の実施の形態について、添付図面を参照して詳細に説明する。
上述したように、ＭＩＭＯ方式におけるＭＬＤ信号分離法は、同時に送信された複数の送信ストリーム中の複数のシンボルを一まとめにしたシンボル群を想定し、全ての可能なシンボル群のうち、実際の受信信号と、チャネル変動の影響を受けたシンボル群との間の距離（シンボルコンステレーション内でのユークリッド距離の二乗で評価される）の最も小さいシンボル群を特定することで、送信された複数のシンボルを推定するものである。このため、送信された複数のシンボルを適切に推定するためには、一まとめとされたシンボル群を明確に識別する必要がある。
【００１５】
一まとめとされたシンボル群を識別する際、複数の送信ストリームにおいて、送信側で選択された変調・符号化方式（ＭＣＳ：Modulation  and  Coding  Scheme）のうち、変調方式が共通していると、変調方式が相違する場合と比べて、受信信号の分離処理の際に送信された複数のシンボルを適切に推定でき、システム全体におけるスループット特性の改善に貢献することが分かっている。これは、変調方式が相違することに起因して、受信信号の分離処理の際に送信された複数のシンボルを適切に推定できない事態の発生を抑制することができるからである。
【００１６】
本発明者らは上記の点に着目して複数の送信ストリーム間で共通する変調方式を含むＭＣＳを選択すべく、本発明をするに至った。すなわち、本発明の骨子は、下り送信ストリームのＣＱＩを測定し、下り送信ストリームのＣＱＩに応じた変調・符号化方式を定めたテーブルであって、同一の変調方式を含み伝送レートが昇順となるように規定された変調・符号化方式のグループを定めたテーブルから、上記測定された下り送信ストリームのＣＱＩに基づいて当該下り送信ストリームの変調・符号化方式を選択することにより、異なる変調方式を含むＭＣＳが選択される確率を低減してシステム全体のスループット特性を改善することである。
【００１７】
図１は、本発明の一実施の形態に係る無線基地局装置（以下、「基地局」という）１００の送信部の構成を示すブロック図である。図２は、実施の形態１に係る移動局装置（以下、「移動局」という）２００の受信部の構成を示すブロック図である。なお、図１及び図２に示す基地局１００及び移動局２００の構成においては、本発明を説明するために簡略化したものであり、それぞれ通常の基地局及び移動局が有する構成は備えているものとする。また、図１及び図２に示す基地局１００及び移動局２００においては、共に２つの送受信アンテナを備える場合について説明するが、これに限定されるものではなく、３つ以上の送受信アンテナを備えるようにしても良い。
【００１８】
図１に示す基地局１００において、受信信号に含まれたリファレンス信号（参照信号）は、復号手段として機能するＣＱＩ情報復号部１０１に入力される。ＣＱＩ情報復号部１０１は、移動局２００にて広帯域の品質測定用リファレンス信号から測定された下り送信ストリーム（以下、単に「ストリーム」という）についてのＣＱＩを復号する。この場合、ＣＱＩ情報復号部１０１は、移動局２００からのフィードバックされるストリーム＃１、＃２についてのＣＱＩ（ストリーム＃１ＣＱＩ、ストリーム＃２ＣＱＩ）を復号し、ＭＣＳ選択部１０２及びスケジューラ１０３に出力する。
【００１９】
ＭＣＳ選択部１０２は、選択手段として機能するものであり、ＣＱＩの値に応じたＭＣＳを予め定めたＭＣＳテーブル１０２１を備え、ＣＱＩ情報復号部１０１から入力されるストリーム＃１ＣＱＩ、ストリーム＃２ＣＱＩに応じて各ストリームに最適なＭＣＳを選択する。そして、選択したＭＣＳを、後述する各ストリームに対応するチャネル符号化部１０４及びデータ変調部１０５に出力する。また、ＭＣＳ選択部１０２で選択されたＭＣＳは、下り制御信号生成部に通知され、この下り制御信号生成部により生成された下り制御信号に含めて下りリンクで移動局２００に通知される。
【００２０】
図３は、本実施の形態に係る基地局１００のＭＣＳ選択部１０２が備えるＭＣＳテーブル１０２１で規定されるＭＣＳの一例を示す図である。ここでは、説明の便宜上、データ変調方式（変調方式）としてＱＰＳＫ（Quadrature  Phase  Shift  Keying）、１６ＱＡＭ（Quadrature  Amplitude  Modulation）及び６４ＱＡＭを含むＭＣＳが定められた場合について示しているが、変調方式の種別についてはこれらに限定されるものではなく、適宜変更が可能である。
【００２１】
ＭＣＳテーブル１０２１においては、図３に示すように、ＭＣＳインデックス（＃１〜＃１１）に対応づけて、変調方式と符号化方式（符号化率）との組み合わせが伝送レートの昇順に配列されている点で従来のＭＣＳテーブル（図４参照）と共通する。しかしながら、異なる変調方式を含むＭＣＳが混在することなく規定されている点で従来のＭＣＳテーブル（図４参照）と相違する。
【００２２】
例えば、ＭＣＳテーブル１０２１においては、ＭＣＳインデックス＃１〜＃４にて変調方式としてＱＰＳＫが規定されると共に、符号化率としてそれぞれ１／３、１／２、２／３及び３／４が規定されている（ＱＰＳＫグループ）。また、ＭＣＳインデックス＃５〜＃７にて変調方式として１６ＱＡＭが規定されると共に、符号化率としてそれぞれ１／２、２／３及び３／４が規定されている（１６ＱＡＭグループ）。さらに、ＭＣＳインデックス＃８〜＃１１にて変調方式として６４ＱＡＭが規定されると共に、符号化率としてそれぞれ２／３、３／４、４／５及び８／９が規定されている（６４ＱＡＭグループ）。
【００２３】
すなわち、ＭＣＳテーブル１０２１においては、同一の変調方式を含み伝送レートが昇順となるように規定されたＭＣＳのグループが定められており、異なる変調方式を含むＭＣＳが混在しないように規定されている。このように、ＭＣＳテーブルに、同一の変調方式を含み伝送レートが昇順となるように規定されたＭＣＳのグループを複数定め、変調方式が相違するＭＣＳが混在しないようにＭＣＳを規定していることから、変調方式が相違することに起因して、受信信号の分離処理の際に送信された複数のシンボルを適切に推定できない事態の発生を抑制することができ、システム全体におけるスループット特性の改善に貢献することができるものとなっている。
【００２４】
また、ＭＣＳテーブル１０２１においては、図４に示す従来のＭＣＳテーブルと比較すると、変調方式としてＱＰＳＫ、符号化率として１／３のＭＣＳ、変調方式として１６ＱＡＭ、符号化率として１／３のＭＣＳ、変調方式として１６ＱＡＭ、符号化率として４／５のＭＣＳ、並びに、変調方式として６４ＱＡＭ、符号化率として１／２のＭＣＳが存在しない。一方、変調方式としてＱＰＳＫ、符号化率として２／３のＭＣＳ、変調方式として１６ＱＡＭ、符号化率として３／４のＭＣＳ、変調方式として６４ＱＡＭ、符号化率として２／３のＭＣＳが追加されている。
【００２５】
このようにＭＣＳテーブル１０２１においては、変調方式と組み合わせる符号化率を調整することで、情報ビット数が大きい変調方式のグループのうち、最も伝送レートが小さいＭＣＳの伝送レート（例えば、ＭＣＳインデックス＃５の伝送レートやＭＣＳインデックス＃８の伝送レート）を、情報ビット数が小さい変調方式のグループのうち、最も伝送レートが大きいＭＣＳ（例えば、ＭＣＳインデックス＃４の伝送レートやＭＣＳインデックス＃７の伝送レート）よりも大きく規定している。これにより、異なる複数の変調方式を含むＭＣＳのグループを複数有する場合にも、適切にＭＣＳテーブルにて伝送レートの昇順にＭＣＳを規定することができるものとなっている。
【００２６】
図１に戻り、基地局１００の構成の説明を続ける。スケジューラ１０３には、送信信号を処理する不図示の上位局装置から送信データが入力される。また、スケジューラ１０３には、ＣＱＩ情報復号部１０１で復号されたＣＱＩと、不図示のチャネル推定部で移動局２００からのリファレンス信号の受信状態に基づいて推定された上りリンクのチャネル推定値とが入力される。スケジューラ１０３は、これらのＣＱＩ及びチャネル推定値を参照しながら送信データのスケジューリングを行う。
【００２７】
チャネル符号化部１０４Ａ及びデータ変調部１０５Ａは、ストリーム＃１に関する下り共有チャネル信号（ユーザデータ）生成部の一部を構成し、この下り共有チャネル信号生成部は、スケジューラ１０３により決定されたスケジュール情報に基づいて、上述した上位局装置からの送信データを用いて下り共有チャネル信号を生成する。この下り共有チャネル信号生成部において、チャネル符号化部１０４Ａは、ＭＣＳ選択部１０２からのストリーム＃１についてのＭＣＳ（ストリーム＃１ＭＣＳ）に指定された符号化率に基づいて送信データのチャネル符号化を行う。データ変調部１０５Ａは、ＭＣＳ選択部１０２からのストリーム＃１ＭＣＳに指定された変調方式に基づいて、チャネル符号化部１０４Ａで符号化された送信データの変調を行う。データ変調部１０５Ａにより変調された送信データは、不図示の離散フーリエ変換部で逆フーリエ変換され、時系列の信号から周波数領域の信号に変換されてサブキャリアマッピング部１０６に出力される。
【００２８】
一方、チャネル符号化部１０４Ｂ及びデータ変調部１０５Ｂは、ストリーム＃２に関する下り共有チャネル信号（ユーザデータ）生成部を構成し、この下り共有チャネル信号生成部は、スケジューラ１０３により決定されたスケジュール情報に基づいて、上述した上位局装置からの送信データを用いて下り共有チャネル信号を生成する。この下り共有チャネル信号生成部において、チャネル符号化部１０４Ｂは、ＭＣＳ選択部１０２からのストリーム＃２についてのＭＣＳ（ストリーム＃２ＭＣＳ）に指定された符号化率に基づいて送信データのチャネル符号化を行う。データ変調部１０５Ｂは、ＭＣＳ選択部１０２からのストリーム＃２ＭＣＳに指定された変調方式に基づいて、チャネル符号化部１０４Ｂで符号化された送信データの変調を行う。データ変調部１０５Ｂにより変調された送信データは、サブキャリアマッピング部１０６に出力される。
【００２９】
サブキャリアマッピング部１０６は、チャネル符号化部１０４Ａ及びデータ変調部１０５Ａにより処理されたストリーム＃１に関する送信データ、並びに、チャネル符号化部１０４Ｂ及びデータ変調部１０５Ｂにより処理されたストリーム＃２に関する送信データを、上述したスケジュール情報に応じてサブキャリアにマッピングする。
【００３０】
サブキャリアマッピング部１０６によりマッピングされたストリーム＃１に関する送信データは、逆高速フーリエ変換部（ＩＦＦＴ部）１０７Ａで逆高速フーリエ変換され、周波数領域の信号から時系列の信号に変換された後、サイクリックプレフィックス付与部（ＣＰ付与部）１０８Ａでサイクリックプレフィックスが付与される。なお、サイクリックプレフィクスは、マルチパス伝搬遅延の差を吸収するためのガードインターバルとして機能する。サイクリックプレフィックスが付与された送信データは、無線周波数（ＲＦ）回路１０９Ａで無線周波数帯に変換する周波数変換処理が施されると共に増幅された後、アンテナ１１０Ａを介して下りリンクにて移動局２００に送出される。
【００３１】
一方、サブキャリアマッピング部１０６によりマッピングされたストリーム＃２に関する送信データは、ＩＦＦＴ部１０７Ｂで逆高速フーリエ変換され、周波数領域の信号から時系列の信号に変換された後、サイクリックプレフィックス付与部（ＣＰ付与部）１０８Ｂでサイクリックプレフィックスが付与される。そして、サイクリックプレフィックスが付与された送信データは、ＲＦ回路１０９Ｂで無線周波数帯に変換する周波数変換処理が施されると共に増幅された後、アンテナ１１０Ｂを介して下りリンクにて移動局２００に送出される。
【００３２】
次に、図２を参照して本実施の形態に係る移動局２００の構成について説明する。図２に示す移動局２００において、基地局１００から送信された送信信号は、アンテナ２０１Ａにより受信され、デュプレクサ（Ｄｕｐｌｅｘｅｒ）２０２Ａにて送信経路と受信経路とに電気的に分離された後、ＲＦ受信回路２０３Ａに出力される。そして、ＲＦ受信回路２０３Ａにて、無線周波数信号からベースバンド信号に変換する周波数変換処理が施される。さらに、不図示のＣＰ除去部により受信信号に付与されたサイクリックプレフィックスが除去された後、高速フーリエ変換部（ＦＦＴ部）２０４Ａに出力される。
【００３３】
同様に、基地局１００から送信された送信信号は、アンテナ２０１Ｂにより受信され、デュプレクサ（Ｄｕｐｌｅｘｅｒ）２０２Ｂにて送信経路と受信経路との電気的に分離された後、ＲＦ受信回路２０３Ｂに出力される。そして、ＲＦ受信回路２０３Ｂにて、無線周波数信号からベースバンド信号に変換する周波数変換処理が施される。さらに、不図示のＣＰ除去部により受信信号に付与されたサイクリックプレフィックスが除去された後、ＦＦＴ部２０４Ｂに出力される。
【００３４】
受信タイミング推定部２０９は、ＲＦ受信回路２０３Ａ、２０３Ｂから出力された受信信号を取得し、例えば、この受信信号に含まれるリファレンス信号（参照信号）から受信タイミング（ＦＦＴ処理タイミング）を推定し、ＦＦＴ部２０４Ａ、２０４Ｂに通知する。
【００３５】
ＲＦ受信回路２０３Ａからの受信信号は、ＦＦＴ２０４Ａにおいて、受信タイミング推定部２０９から通知された受信タイミングに応じてフーリエ変換され、時系列の信号から周波数領域の信号に変換された後、信号分離部２０５に出力される。同様に、ＲＦ受信回路２０３Ｂからの受信信号は、ＦＦＴ２０４Ｂにおいて、受信タイミング推定部２０９から通知された受信タイミングに応じてフーリエ変換され、時系列の信号から周波数領域の信号に変換された後、信号分離部２０５に出力される。
【００３６】
信号分離部２０５は、ＦＦＴ部２０４Ａ、２０４Ｂから入力された受信信号をＭＬＤ信号分離法により分離する。これにより、基地局１００から到来した受信信号は、ストリーム＃１に関する受信信号と、ストリーム＃２に関する受信信号とに分離される。信号分離部２０５により分離されたストリーム＃１、＃２に関する受信信号は、それぞれ不図示のサブキャリアデマッピング部にてデマッピングされて時系列の信号に戻された後、ストリーム＃１に関する受信信号がデータ復調部２０６Ａに出力され、ストリーム＃２に関する受信信号がデータ復調部２０６Ｂに出力される。
【００３７】
ストリーム＃１に関する受信信号は、データ復調部２０６Ａにおいて、基地局１００から通知されたＭＣＳに含まれる変調方式に基づいてデータ復調された後、チャネル復号部２０７Ａにおいて、基地局１００から通知されたＭＣＳに含まれる符号化率に基づいてチャネル復号されて送信データが再生される。同様に、ストリーム＃２に関する受信信号は、データ復調部２０６Ｂにおいて、基地局１００から通知されたＭＣＳに含まれる変調方式に基づいてデータ復調された後、チャネル復号部２０７Ｂにおいて、基地局１００から通知されたＭＣＳに含まれる符号化率に基づいてチャネル復号されて送信データが再生される。なお、基地局１００からのＭＣＳは、不図示の制御信号復調部により復調された制御信号から取得される。
【００３８】
ＣＱＩ測定部２０８は、ＦＦＴ部２０４Ａから出力された受信信号に含まれるリファレンス信号の受信状態から受信品質を測定すると共に、ＦＦＴ部２０４Ｂから出力された受信信号に含まれるリファレンス信号の受信状態から受信品質を測定する。ＣＱＩ測定部２０８により測定された各伝送路におけるＣＱＩ情報は、不図示の上り制御信号生成部に通知され、この上り制御信号生成部により生成された上り制御信号に含めて上りリンクで基地局１００に送出される。
【００３９】
このように本実施の形態に係る基地局１００において、ＭＣＳ選択部１０２は、同一の変調方式を含み伝送レートが昇順となるように規定されたＭＣＳのグループを定めたＭＣＳテーブル１０２１を備えておき、ＣＱＩ測定部１０１から入力されるストリーム＃１ＣＱＩ、ストリーム＃２ＣＱＩに応じて各ストリームに対応するＭＣＳを選択するようにしたことから、変調方式が相違するＭＣＳが混在して規定される場合と比べ、変調方式が相違することに起因して、受信信号の分離処理の際に送信された複数のシンボルを適切に推定できない事態の発生を抑制でき、システム全体におけるスループット特性を改善することが可能となる。
【００４０】
本発明は上記実施の形態に限定されず、種々変更して実施することが可能である。例えば、上記実施の形態においては、基地局１００及び移動局２００においては、共に２つの送受信アンテナを備える場合について説明しているが、本発明はこれに限定されず、３つ以上の送受信アンテナを備える基地局１００及び移動局２００にも適用することができる。また、本発明の範囲を逸脱しない限りにおいて、上記説明におけるＭＣＳに含まれる変調方式及び符号化方式（符号化率）の組み合わせについては適宜変更して実施することが可能である。その他、本発明の範囲を逸脱しないで適宜変更して実施することが可能である。
【符号の説明】
【００４１】
１００  無線基地局装置（基地局）
１０１  ＣＱＩ情報復号部
１０２  ＭＣＳ選択部
１０２１  ＭＣＳテーブル
１０３  スケジューラ
１０４  チャネル符号化部
１０５  データ変調部
１０６  サブキャリアマッピング部
１０７  ＩＦＦＴ部
１０８  ＣＰ付与部
１０９  ＲＦ回路
１１０  アンテナ
２００  移動局装置（移動局）
２０１  アンテナ
２０２  デュプレクサ
２０３  ＲＦ受信回路
２０４  ＦＦＴ部
２０５  信号分離部
２０６  データ復調部
２０７  チャネル復号部
２０８  ＣＱＩ測定部
【図１】
2011023942.tif 000003
【図２】
2011023942.tif 000004
【図３】
2011023942.tif 000005
【図４】
2011023942.tif 000006